(57)【要約】  【課題】  電気接続箱に並設したコネクタ嵌合部にそれぞれ嵌合する多極コネクタを一括で正規嵌合位置まで嵌合させる。  【解決手段】  ケースの外面に複数の多極コネクタ嵌合部１４を左右方向Ｙに隣接させて並設していると共に、これら多極コネクタ嵌合部１４の底面１４ａに穿設された端子孔１４ｂよりケース内部に収容したバスバーのタブ２２を突出させており、多極コネクタ嵌合部１４に嵌合する各多極コネクタ６０には、そのコネクタハウジングの左右両側部に前後方向にズラせた押さえ突片６２を設け、これら押さえ突片６２は隣接するコネクタ６０の間で、一方のコネクタ６０の前側の押さえ突片６２Ｂと他方のコネクタ６０の後側の押さえ突片６２Ａとが前後方向Ｘに同一平面上で並ぶ構成としており、多極コネクタ６０を多極コネクタ嵌合部１４に仮嵌合した状態で、押さえ突片６２を押さえ治具７０を用いて正規嵌合位置まで押し込んでいる。  【選択図】  図４
2005287219.tif 000002
【特許請求の範囲】
【請求項１】
ケースの外面に複数の多極コネクタ嵌合部を左右方向に隣接させて並設していると共に、これら多極コネクタ嵌合部の底面に穿設された端子孔より前記ケース内部に収容したバスバーのタブを突出させており、
前記多極コネクタ嵌合部に嵌合する各多極コネクタには、そのコネクタハウジングの左右両側部に前後方向にズラせた押さえ突片を設け、これら押さえ突片は隣接するコネクタの間で、一方のコネクタの前側の押さえ突片と他方のコネクタの後側の押さえ突片とが前後方向に同一平面上で並ぶ構成としており、
前記多極コネクタを前記多極コネクタ嵌合部に仮嵌合した状態で、上記押さえ突片を押さえ治具を用いて正規嵌合位置まで押し込んでいることを特徴とする電気接続箱へのコネクタ嵌合方法。
【請求項２】
前記押さえ治具は本体の一側より把持部を突設している一方、他側より前記隣接するコネクタ間と対応する位置に複数の押さえ部を櫛歯状に突出した構成とし、
前記押さえ治具の押さえ部により前記前後方向に並ぶ押さえ突片を正規嵌合位置まで押し込んでいる請求項１に記載の電気接続箱へのコネクタ嵌合方法。
【請求項３】
前記ケースには、前記多極コネクタ嵌合部を前後方向にも並設して、前後方向および左右方向に碁盤目状に多数の多極コネクタ嵌合部を設け、これら多極コネクタ嵌合部にそれぞれ嵌合される多極コネクタの前記押さえ突片は、前後方向に連続して並び、これら押さえ突片を前記押さえ治具で正規嵌合位置まで押し込んでいる請求項１または請求項２に記載の電気接続箱へのコネクタ嵌合方法。
【請求項４】
請求項１乃至請求項３のいずれかの１項に記載の方法で電気接続箱にコネクタが嵌合されており、これらコネクタに接続される前記バスバーのタブは、複数のタブを１つのバスバーより突出させてスプライス回路を形成していることを特徴とする電気接続箱。
【請求項５】
前記多極コネクタ嵌合部を設けた部分のケース内部には複数のタブを間隔をあけて突設した縦バスバーを左右方向に並設させて収容し、前記多極コネクタ嵌合部に嵌合する多極コネクタには、１つのコネクタ内あるいは／および前後方向に隣接するコネクタ間にスプライス回路を形成している請求項４に記載の電気接続箱。
【請求項６】
前記多極コネクタ嵌合部は左右方向が長尺で前後方向が短尺な矩形状で、これら多極コネクタ嵌合部の端子孔から突出する前記縦バスバーのタブは、その幅方向が前記多極コネクタ嵌合部の長尺方向と直交方向の向きとし、これら多極コネクタ嵌合部と嵌合される前記多極コネクタ内の端子の向きも前記端子の向きと一致させている請求項４または請求項５に記載の電気接続箱。
【発明の詳細な説明】
【技術分野】
【０００１】
本発明は、コネクタ嵌合方法および該方法によりコネクタが嵌合されている電気接続箱に関し、詳しくは、電気接続箱に並設されている各コネクタ嵌合部に多極コネクタを治具を用いて正規嵌合位置まで簡単に押し込むものである。
【背景技術】
【０００２】
従来、嵌合力を要する多極コネクタ同士には、嵌合操作力を低減するためレバー操作によるテコ機構を利用したレバー式コネクタを本出願人は、特開２００２−２３１３７９号（特許文献１）等で提供している。
【０００３】
しかしながら、コネクタ同士の嵌合にはレバーを用いることができるが、電気接続箱に並列した多数のコネクタ嵌合部にそれぞれコネクタを嵌合させる場合には、各コネクタ嵌合部と相手方コネクタとの間に個別にレバーを設けることはスペース上困難であると共に、構成上においても無理があり、かつ、仮にレバーを設けることできても多数のコネクタを個別にレバー操作でコネクタ嵌合部に嵌合させると、逆に手数がかかることとなる。
【特許文献１】特開２００２−２３１３７９号公報
【発明の開示】
【発明が解決しようとする課題】
【０００４】
本発明は前記問題に鑑みてなされたものであり、電気接続箱に並列に設けられたコネクタ嵌合部に嵌合する多極コネクタを、治具を用いて簡単に正規位置まで嵌合させることが出来るようにすることを課題としている。
【課題を解決するための手段】
【０００５】
前記課題を解決するため、本発明は、ケースの外面に複数の多極コネクタ嵌合部を左右方向に隣接させて並設していると共に、これら多極コネクタ嵌合部の底面に穿設された端子孔より前記ケース内部に収容したバスバーのタブを突出させており、  前記多極コネクタ嵌合部に嵌合する各多極コネクタには、そのコネクタハウジングの左右両側部に前後方向にズラせた押さえ突片を設け、これら押さえ突片は隣接するコネクタの間で、一方のコネクタの前側の押さえ突片と他方のコネクタの後側の押さえ突片とが前後方向に同一平面上で並ぶ構成としており、
前記多極コネクタを前記多極コネクタ嵌合部に仮嵌合した状態で、上記押さえ突片を押さえ治具を用いて正規嵌合位置まで押し込んでいることを特徴とする電気接続箱へのコネクタ嵌合方法を提供している。
【０００６】
前記コネクタの嵌合方法によれば、多極コネクタ嵌合部に左右方向に隣接させて多極コネクタを仮嵌合した時に多極コネクタに設けた押さえ突片が隣接するコネクタの間で前後方向に同一平面上で並び、この状態で前後方向に並んだ押さえ突片を押さえ治具を用いて正規嵌合位置まで押し込むことにより、少なくとも２つの多極コネクタを多極コネクタ嵌合部に一括で嵌合させることができる。
また、押さえ突片を設けても、左右に隣接させる多極コネクタの押さえ突片を前後方向に並べた構成とするため、押さえ突片を設けることにより左右隣接させるコネクタ間の間隔が広がらない。これにより、左右方向に多数個の多極コネクタを並設させる場合に、左右寸法を増大させず、電気接続箱の大型化を抑制できる。
【０００７】
前記押さえ治具は本体の一側より把持部を突設している一方、他側より前記隣接するコネクタ間と対応する位置に複数の押さえ部を櫛歯状に突出した構成とし、
前記押さえ治具の押さえ部により前記前後方向に並ぶ押さえ突片を正規嵌合位置まで押し込んでいることが好ましい。
【０００８】
前記構成の押さえ治具を作業者が把持して、あるいは機械により押さえ治具を前方から後方へと移動させると、押さえ治具に設けた複数の押さえ部により、左右方向に隣接する多数のコネクタ嵌合部に仮嵌合位置まで嵌合されている多極コネクタを一括して正規嵌合位置まで一括で嵌合させることができる。
【０００９】
前記ケースには、前記多極コネクタ嵌合部を前後方向にも並設して、前後方向および左右方向に碁盤目状に多数の多極コネクタ嵌合部を設け、これら多極コネクタ嵌合部にそれぞれ嵌合される多極コネクタの前記押さえ突片は、前後方向に連続して並び、これら押さえ突片を前記押さえ治具で正規嵌合位置まで押し込んでいることが好ましい。
【００１０】
前記コネクタの嵌合方法によれば、左右方向に並設したコネクタだけでなく前後方向に並設したコネクタを押さえ治具により一括で正規嵌合位置まで押し込んで嵌合させることができるため、コネクタの嵌合作業をより効率良くすることができる。
【００１１】
また、本発明は、前記方法で電気接続箱にコネクタが嵌合されており、これらコネクタに接続される前記バスバーのタブは、複数のタブを１つのバスバーより突出させてスプライス回路を形成していることを特徴とする電気接続箱を提供している。
【００１２】
前記構成によれば、押さえ治具を用いて複数の多極コネクタを一括で多極コネクタ嵌合部に嵌合させることができるため、これら多極コネクタ内の端子を１つのバスバーより突出させたタブに接続すれば、簡単にスプライス回路を形成することができる。
【００１３】
前記多極コネクタ嵌合部を設けた部分のケース内部には複数のタブを間隔をあけて突設した縦バスバーを左右方向に並設させて収容し、前記多極コネクタ嵌合部に嵌合する多極コネクタには、１つのコネクタ内あるいは／および前後方向に隣接するコネクタ間にスプライス回路を形成していることが好ましい。
【００１４】
前記構成によれば、縦バスバーを左右方向に並設し、その長さ方向を前後方向とすることにより、前後方向の隣接する多極コネクタ嵌合部に１つの縦バスバーからタブを突出させることができ、前後方向に隣接するコネクタ間に容易にスプライス回路を形成できる。また、隣接する多極コネクタに限らず、同一の多極コネクタ嵌合部内に１つの縦バスバーからタブを突出させると、１つの多極コネクタ内にスプライス回路を形成することができ、さらに、離れた位置であっても前後方向に多極コネクタ嵌合部を設けておけば、１つの縦バスバーからタブを突出させて、コネクタ間にスプライス回路を形成することができる。
【００１５】
前記多極コネクタ嵌合部は左右方向が長尺で前後方向が短尺な矩形状で、これら多極コネクタ嵌合部の端子孔から突出する前記縦バスバーのタブは、その幅方向が前記多極コネクタ嵌合部の長尺方向と直交方向の向きとし、これら多極コネクタ嵌合部と嵌合される前記多極コネクタ内の端子の向きも前記端子の向きと一致させていることが好ましい。
【００１６】
前記構成によれば、ケース内部に縦バスバーを左右方向に並設させて収容しておくと、縦バスバーの長さ方向とタブの幅方向が共に前後方向となって一致するため、縦バスバーに突設したタブを折り曲げなくてもよく、縦バスバーを容易に形成することができる。
【発明の効果】
【００１７】
前述したように、本発明によれば、電気接続箱に並列に形成しているコネクタ嵌合部に対して、多極コネクタをそれぞれ仮嵌合位置まで嵌合させておくと、押さえ治具を用いて正規嵌合位置まで簡単に押し込めるため、電気接続信頼性を高めることが出来ると共に、多数の多極コネクタの嵌合作業の負担を少なくできる。
また、押さえ治具を使用するためにコネクタに押さえ突片を形成しても、左右隣接するコネクタ間で前後にずれせて位置させるため、隣接するコネクタ間の距離を大きく離す必要はなく、多極コネクタ嵌合部を密集配置でき、電気接続箱の大型化を抑制できる。
【発明を実施するための最良の形態】
【００１８】
本発明の実施形態を図面を参照して説明する。
図１乃至図７は、本発明の第１実施形態を示し、電気接続箱１０は、アッパーケース１１とロアケース１２からなるケース内部には、縦バスバー２０と、平バスバー３０と絶縁板３１を交互に積層配置した積層体３２と、プリント基板４０とを内部回路として収容している。
【００１９】
図２に示すように、電気接続箱１０の一半側領域を縦バスバー配置領域Ｓ１（図２中、一点鎖線で囲んだ領域）として複数の縦バスバー２０を並列配置する一方、他半側領域を平バスバー配置領域Ｓ２（図２中、二点鎖線で囲んだ領域）として平バスバー３０と絶縁板３１からなる積層体３２を配置している。
【００２０】
アッパーケース１１の外面の縦バスバー配置領域Ｓ１には、前後左右方向（前後方向Ｘ、左右方向Ｙ）に多極コネクタ嵌合部１４を隔壁１４ｃを介して隣接させて、碁盤目状に並設している。多極コネクタ嵌合部１４は、左右方向Ｙが長尺で前後方向Ｘが短尺の矩形状としている。
【００２１】
多極コネクタ嵌合部１４に嵌合する多極コネクタ６０は、図３に示すように、コネクタハウジングの短辺側の左右両側部上端から押さえ突片６２を水平方向に突設している。一方の押さえ突片６２Ａを前後方向Ｘの一側に設ける一方、他方の押さえ突片６２Ｂは一方の押さえ突片６２Ａの対向位置に設けず、前後方向Ｘの他側に設けて、突片６２Ａと６２Ｂを前後方向Ｘにズラせて対角位置に設けている。
【００２２】
前記多極コネクタ嵌合部１４に多極コネクタ６０をそれぞれ仮嵌合すると、多極コネクタ６０の押さえ突片６２が、多極コネクタ嵌合部１４の隔壁１４ｃの上面より所要寸法離れた上方に位置されるように設定している。かつ、左右方向Ｙに隣接させて配置した一方のコネクタ６０の押さえ突片６２Ａと他方のコネクタ６０の押さえ突片６２Ｂが前記隔壁１４ｃの上方位置で、互いに干渉せずに前後方向に同一平面上に並んで配置される。さらに、図４に示すように、前後方向Ｘに並設した多極コネクタの押さえ突片６２も前後方向に連続して並ぶように設定している。
【００２３】
なお、押さえ突片６２は多極コネクタ６０の長辺方向（左右方向Ｙ）に設けてもよいが、短辺方向に設けた方が後述する押さえ治具７０の押さえ部７２を短くして撓み難くすることができるため、押さえ突片６２は多極コネクタ６０の短辺方向に設けることが好ましい。
【００２４】
また、多極コネクタ嵌合部１４内に突出するタブ２２に対応させて相手方の雌端子（図示せず）を収容する端子収容室６１を千鳥配置で複数設けると共に、端子収容室６１内の相手方端子は、前記アッパーケース１１の多極コネクタ嵌合部１４内に突出させるタブ２２の向きに対応させて設定している。なお、タブ２２については後述する。
【００２５】
前記多極コネクタ嵌合部１４に仮嵌合させている多極コネクタを正規嵌合位置まで嵌合させる押さえ治具７０は、図４に示すように、本体の一側の中央より上方に向けて把持部７１を突設する一方、他側より側方に向けて４本の板状の押さえ部７２を櫛歯状に突出している。押さえ治具７０の本体の両側には、電気接続箱１０の左右外面に接触するガイド枠７３を設け、該ガイド枠７３内に電気接続箱を位置させると、前記各押さえ部７２が多極コネクタ６０の押さえ突片を設けた位置と一致するように設定している。
【００２６】
電気接続箱１０への多極コネクタ６０の嵌合方法を説明する。
まず、電気接続箱１０の多極コネクタ嵌合部１４に対して、それぞれ多極コネクタ６０を仮嵌合位置まで嵌合させる。この状態で、多極コネクタ６０の押さえ突片６２は隔壁１４ｃより所要寸法離れた上方で同一平面上に位置される。
次いで、図４に示すように、押さえ治具７０の左右のガイド枠７３の内面を電気接続箱１０の左右外面に接触させてスライドさせると、押さえ部７２が左右方向Ｙに隣接する多極コネクタ６０間に側方から挿入される。
最後に、押さえ部７２を多極コネクタ６０の押さえ突片６２上に位置させた状態で押さえ治具７０の把持部７１を下方に押し下げると、押さえ部７２も下降して、各押さえ突片６２を隔壁１４ｃの上面に当接する位置まで押し込まれる。この位置で多極コネクタ６０は多極コネクタ嵌合部に正規嵌合位置まで押し込まれる。
なお、図４においては、多極コネクタ６０に接続された電線を省略している。
【００２７】
前記方法では、押さえ治具７０の押さえ部７２を押さえ突片６２の上面側に位置させた後、押さえ部７２を下降させているが、押さえ部７２により押さえ突片６２を隔壁１４ｃの上面に当接するまで押し込みながら、前方より後方へと移動させていってもよい。
【００２８】
前記多極コネクタ６０が嵌合する多極コネクタ嵌合部１４の端子孔に突出させる電気接続箱の内部回路について、以下に説明する。
多極コネクタ嵌合部１４の底壁１４ａには複数の端子孔１４ｂを穿設しており、該端子孔１４ｂの長辺方向を多極コネクタ嵌合部１４の長辺方向と直交方向としている。また、端子孔１４ｂは多極コネクタ嵌合部１４の長辺方向に沿って千鳥配置とし、端子孔１４ｂには、ケース内部に収容された縦バスバー２０のタブ２２が貫通されている。
【００２９】
ロアケース１２の縦バスバー配置領域Ｓ１には、図６及び図７に示すように、縦バスバー配置領域Ｓ１と平バスバー配置領域Ｓ２との境界から縦バスバー配置領域Ｓ１の他側先端側にかけて延在する縦バスバー収容室１３を左右方向Ｙに間隔をあけて複数並設し、該縦バスバー収容室１３に縦バスバー２０の基部２３を圧入固定している。
【００３０】
前記各縦バスバー２０には、電気接続箱内に垂直方向（縦方向）に配置される基部２３の上下いずれかの片面あるいは両面の所要箇所から間隔をあけて複数のタブ２２、２４を突設しており、タブ２２、２４は、基部２３に対して屈曲させずに、タブ２２の幅方向を縦バスバー２０の長さ方向と同一方向としている。
【００３１】
縦バスバー２０の基部２３から上方に突設するタブ２２はアッパーケース１１の多極コネクタ嵌合部１４内に突出する一方、基部２３から下方に突設するタブ２４はロアケース１２のコネクタ収容部１５内に突出している。
詳細には、前後方向に隣接させて設けた多極コネクタ嵌合部１４Ａ、１４Ｂ、コネクタ収容部１５Ａ〜１５Ｃには、１つの縦バスバー２０に突設したタブ２２、２４を内部に突出させている。また、同一の多極コネクタ嵌合部１４内に１つの縦バスバー２０に突設したタブを複数突出させている。
【００３２】
縦バスバー配置領域Ｓ１において、前後方向に隣接して並設する多極コネクタ嵌合部１４Ａと１４Ｂ、コネクタ収容部１５Ａと１５Ｂと１５Ｃには、１つの縦バスバー２０から間隔をあけて突出した複数個のタブ２２、２４と接続されるため、多極コネクタ嵌合部１４Ａと１４Ｂ、コネクタ収容部１５Ａと１５Ｂと１５Ｃにそれぞれ嵌合する多極コネクタ６０は縦バスバー２０を介してスプライス接続されることとなる。
また、同一の多極コネクタ嵌合部１４内に１つの縦バスバー２０に突設したタブを突出させているため、多極コネクタ嵌合部１４内に嵌合する１つのコネクタ６０内でも縦バスバー２０によりスプライス回路が形成される。
【００３３】
一方、平バスバー配置領域Ｓ２に配置する平バスバー３０の一端は、縦バスバー配置領域Ｓ１との境界位置に配置し、縦バスバー２０のバスバー接続用タブ２１に対向する位置に平バスバー３０の先端から下方に屈折させた音叉端子３３を設けている。該音叉端子３３は縦バスバー２０のバスバー接続用タブ２１に対して直交とし、積層体３２をロアケース１２に収容すると、所要のバスバー接続用タブ２１が音叉端子３３のスリット内に挿入されて圧接される構成としている。
前記音叉端子３３は千鳥配置として、縦バスバー２０を狭ピッチで配置できるようにしている。
【００３４】
前記平バスバー３０の音叉端子３３は、縦バスバー２０のバスバー接続用タブ２１と圧接させる前に、予め別体の保護樹脂ブロック５０で覆って保護している。保護樹脂ブロック５０の端子収容室に音叉端子３３が圧入される一方、該端子収容室の下端から縦バスバー２０のバスバー接続用タブ２１が挿入されて、該バスバー接続用タブに音叉端子３３が圧接される。
【００３５】
一方、平バスバー３０は所要箇所を上方または下方に屈折させて端子部３４を設け、アッパーケース１１に設けたリレー収容部１６、ヒューズ収容部１７、又は、ロアケース１２に設けたコネクタ収容部２７、ヒューズ収容部１８内のいずれかに突出させている。
【００３６】
また、図６に示すように、アッパーケース１１の所要箇所に上壁を突出させてプリント基板収容部１９を設け、該プリント基板収容部１９内に積層体３２との間に絶縁板４１を介在させてプリント基板４０を収容している。該プリント基板４０に対向する箇所の平バスバー３０からは、上方に向けて長尺な導体接続用タブ３５を突出させ、該導体接続用タブ３５を絶縁板４１から上方に突設した接続用タブ収容部４２を通して、上方に配置したプリント基板４０の導体に半田付けして接続している。なお、プリント基板４０は、平バスバー３０から固定用タブ収容部４３を通して突出させた基板固定用タブ３６に半田付けされて所要高さで支持されている。
【００３７】
電気接続箱の回路構成を前記構成とすると、多極コネクタ６０を多極コネクタ嵌合部１４に嵌合させると、縦バスバー２１のタブと接続され、所要のスプライス回路を簡単に形成することができる。
【００３８】
図８は、本発明の第２実施形態を示し、押さえ治具７０’の押さえ部７２’の先端に前後方向Ｘに回転するローラ７２ａ’を取り付けている。
前記押さえ治具７０’であると、電気接続箱１０の多極コネクタ嵌合部１４に仮嵌合状態で配置した多極コネクタ６０の押さえ突片６２上を前方から後方へ押さえ部７０’をスムーズに移動させながら押さえ突片６２を正規嵌合位置まで押し込むことができる。
なお、他の構成及び作用効果は第１実施形態と同様のため、同一の符号を付して説明を省略する。
【図面の簡単な説明】
【００３９】
【図１】本発明の第１実施形態の電気接続箱の分解斜視図である。
【図２】前記電気接続箱を示し、（Ａ）は平面図、（Ｂ）は底面図である。
【図３】多極コネクタの平面図である。
【図４】押さえ治具による多極コネクタの嵌合方法を示す図面である。
【図５】（Ａ）（Ｂ）は、押さえ治具の押さえ部によって多極コネクタの押さえ突片を押圧する方法を示す図面である。
【図６】電気接続箱の前後方向の断面図である。
【図７】電気接続箱の左右方向の断面図である。
【図８】本発明の第２実施形態に用いる押さえ治具を示し、（Ａ）は平面図、（Ｂ）は正面図である。
【符号の説明】
【００４０】
１０  電気接続箱
１１  アッパーケース
１２  ロアケース
１４  多極コネクタ嵌合部
１５  コネクタ収容部
２０  縦バスバー
２２、２４  タブ
３０  平バスバー
４０  プリント基板
６０  多極コネクタ
６２  押さえ突片
７０  押さえ治具
７１  把持部
７２  押さえ部
７２ａ’  ローラ
７３  ガイド枠
Ｓ１  縦バスバー配置領域
Ｓ２  平バスバー配置領域
【図１】
2005287219.tif 000003
【図２】
2005287219.tif 000004
【図３】
2005287219.tif 000005
【図４】
2005287219.tif 000006
【図５】
2005287219.tif 000007
【図６】
2005287219.tif 000008
【図７】
2005287219.tif 000009
【図８】
2005287219.tif 000010